(57)【要約】 【課題】安全で消耗品が少なく、したがって安価に使用できる蚊取り器を提供する。【解決手段】酸化チタン（２）と該酸化チタンに紫外線を照射する紫外線発生器（３）とからなる炭酸ガス発生器と、赤外線発生器（４、４）と、ガス透過体（１１、１１）と、空気吸引装置（２０）とから構成する。炭酸ガス発生器と赤外線発生器が起動してから所定時間経過すると、付近にいる蚊は炭酸ガス、赤外線等に誘引されてガス透過体（１１、１１）に止まっていると見なし、空気吸引装置が作動する。ガス透過体に止まっている蚊は、空気吸引装置により吸引される空気流により捕虫ネット（２２）に捕獲される。【選択図】   図１
2009095257.tif 000002
【特許請求の範囲】
【請求項１】
酸化チタンと該酸化チタンに紫外線を照射するようになっている紫外線発生器とからなる炭酸ガス発生器と、赤外線発生器と、前記炭酸ガス発生器により発生する炭酸ガス、前記赤外線発生器から放射される赤外線等を透過するガス透過体と、蚊を検知する蚊センサと、空気吸引装置とからなり、
前記炭酸ガス発生器により発生する炭酸ガス、前記赤外線発生器から放射される赤外線等に誘引されて、前記ガス透過体に止まる蚊あるいは近づいている蚊を前記蚊センサが検知すると、前記空気吸引装置が所定時間作動して空気流が発生し、前記ガス透過体に止まっている蚊あるいは近づいている蚊は、前記空気流により捕虫ネットに捕獲されるようになっていることを特徴とする蚊取り器。
【請求項２】
酸化チタンと該酸化チタンに紫外線を照射するようになっている紫外線発生器とからなる炭酸ガス発生器と、赤外線発生器と、前記炭酸ガス発生器により発生する炭酸ガス、前記赤外線発生器から放射される赤外線等を透過するガス透過体と、空気吸引装置とからなり、
前記炭酸ガス発生器と前記赤外線発生器が起動されてから所定時間経過すると、前記空気吸引装置が所定時間作動して空気流が発生し、前記ガス透過体に止まっている蚊あるいは近づいている蚊は、前記空気流により捕虫ネットに捕獲されるようになっていることを特徴とする蚊取り器。
【請求項３】
請求項１又は２に記載の蚊取り器において、酸化チタンが本体の表面に塗布あるいはコーテイングされて酸化チタン層になっていることを特徴とする蚊取り器。
【請求項４】
請求項３に記載の蚊取り器において、前記基体は略円筒状を呈し、その内部に前記紫外線発生器と前記赤外線発生器とが配置され、その両端の開口部に前記ガス透過体が設けられていることを特徴とする蚊取り器。
【請求項５】
請求項１〜４のいずれかの項に記載の蚊取り器において、酸化チタンには活性酸素で分解されて炭酸ガスを発生する有機物が塗布されるようになっていることを特徴とする蚊取り器。
【請求項６】
酸化チタンが塗布あるいはコーテイングされているネット状の本体と前記酸化チタンに紫外線を照射するようになっている紫外線発生器とからなる炭酸ガス発生器と、赤外線発生器と、前記炭酸ガス発生器により発生する炭酸ガス、前記赤外線発生器から放射される赤外線等を透過するガス透過体と、蚊を検知する蚊センサと、空気吸引装置とからなり、
前記炭酸ガス発生器により発生する炭酸ガス、前記赤外線発生器から放射される赤外線等に誘引されて、前記ガス透過体に止まる蚊あるいは近づいている蚊を前記蚊センサが検知すると、前記空気吸引装置が設定時間作動して空気流を発生し、前記透過体に止まっている蚊あるいは近づいている蚊は、前記空気流により前記ネット状の本体に捕獲されるようになっていることを特徴とする蚊取り器。
【請求項７】
酸化チタンが塗布あるいはコーテイングされているネット状の本体と前記酸化チタンに紫外線を照射するようになっている紫外線発生器とからなる炭酸ガス発生器と、赤外線発生器と、前記炭酸ガス発生器により発生する炭酸ガス、前記赤外線発生器から放射される赤外線等を透過するガス透過体と、空気吸引装置とからなり、
前記炭酸ガス発生器と前記赤外線発生器が起動されてから設定時間経過すると、前記空気吸引装置が設定時間作動して空気流を発生し、前記透過体に止まっている蚊あるいは近づいている蚊は、前記空気流により前記ネット状の本体に捕獲されるようになっていることを特徴とする蚊取り器。
【請求項８】
請求項６又は７に記載の蚊取り器において、前記ネット状の本体は略碗状を呈し、その内部に前記紫外線発生器と前記赤外線発生器とが配置され、その開口部に前記ガス透過体が開閉自在に設けられていることを特徴とする蚊取り器。   
【請求項９】
リン酸チタニウム系化合物あるいはその縮合体からなる炭酸ガス発生器と、赤外線発生器と、前記炭酸ガス発生器により発生する炭酸ガス、前記赤外線発生器から放射される赤外線等を透過するガス透過体と、空気吸引装置とからなり、
前記炭酸ガス発生器と前記赤外線発生器が起動されてから所定時間経過すると、又は前記ガス透過体に止まっている蚊あるいは近づいている蚊をセンサが検知すると、前記空気吸引装置が所定時間作動して空気流が発生し、前記ガス透過体に止まっている蚊あるいは近づいている蚊は、前記空気流により捕虫ネットに捕獲されるようになっていることを特徴とする蚊取り器。
【発明の詳細な説明】
【技術分野】
【０００１】
本発明は、炭酸ガス発生器と、赤外線発生器と、前記炭酸ガス発生器により発生する炭酸ガス、前記赤外線発生器から放射される赤外線等を透過するガス透過体と、空気吸引装置とからなり、前記炭酸ガス発生器により発生する炭酸ガス、前記赤外線発生器から放射される赤外線等に誘引されて、前記ガス透過体に止まる蚊あるいは近づいている蚊を前記空気吸引装置に吸引捕獲するようになっている蚊取り器に関するものである。
【背景技術】
【０００２】
殺虫剤を使用した蚊取り器としては、従来周知のように、蚊取り線香、マット式電子蚊取り器、液体式電子蚊取り器等が知られている。これらの蚊取り器は、いずれも殺虫成分を空気中に揮発あるいは噴霧させ、これにより殺虫するもので家庭的にも広く実用に供されている。このような殺虫剤を使用した蚊取り器は、殺虫効果の点では問題ないにしても、殺虫剤を空気中に揮散させるので、必ずしも好ましいとはいえない。特に、乳幼児、高齢者、病弱者等に対して使用するときは心理的に抵抗を感じる。そこで、特許文献１、２等により殺虫剤を使用しない蚊取り器が提案されている。  
【０００３】
【特許文献１】特開２００６−２６２８８６号公報
【特許文献２】実開昭６２−８３４７７号公報
【０００４】
特許文献１に示されている蚊取り器は、炭酸ガスが封入されたガス透過性包装袋と、このガス透過性包装袋の前方の所定位置に装着される粘着体とから構成されている。粘着体の表面には、ポリブデン、ポリイソブデン、アクリル樹脂等の粘着剤が塗布されている。したがって、ガス透過性包装袋から発散される炭酸ガスに誘引されて集まる蚊は、粘着体に接触して捕捉されることになる。また、特許文献２に開示されている蚊取り器は、誘引灯の近くに配置されている炭酸ガス供給手段、ヒータ、加湿器、これらの機器を制御する制御手段等から構成されている。人の呼気に近い空気流が誘引灯の近くに発生し、この空気流に集まる蚊は吸引フアンの吸引力により捕虫フイルタに捕獲されるようになっている。
【発明の開示】
【発明が解決しようとする課題】
【０００５】
特許文献１、２のそれぞれに記載されている蚊取り器は、炭酸ガスあるいは炭酸ガスと熱線とに誘引される蚊を粘着体あるいは捕虫フイルタにより捕獲するもので、人体に害を与える可能性のある殺虫成分は含まれていないので、それなりの効果は認められる。しかしながら、改良すべき点も多い。例えば、特許文献１に示されている蚊取り器は、炭酸ガスはガス透過性包装袋に入れられ、消耗品になっているので、家庭的に使用する場合コストが高くなり、頻繁な使用には適さない。また、使用済みのガス透過性包装袋を交換する煩わしさもある。さらには、粘着体の装着、廃棄等の取り扱いが面倒になることも予想される。また、粘着体に塵埃、ゴミ等が付着すると捕捉効果が落ちるので、早期に交換する必要が生じる。特許文献２に開示されている蚊取り器は、誘引灯に集まる蚊は吸引フアンにより補虫フイルタに捕獲されるようになっているので、粘着体により捕獲するときの、上記のような問題点はない。しかしながら、炭酸ガスはガスボンベから放散されるようになっているので、ガスボンベの入手にコストがかかることが予想される。また、炭酸ガス供給手段、ヒーター、加湿器等の制御手段は備えてはいるが、炭酸ガスの供給を制御するようにはなっていないので、炭酸ガスを徒に消耗する恐れもある。
【０００６】
一般の家屋の戸、窓等の開口部には網戸が使用され、家屋あるいは室内に侵入する蚊の数は少なく、特に寝室、居間等に侵入してくる蚊は少ない。このような少ない蚊に対して、上記したような従来の蚊取り器は、コスト高になり、また取り扱いが面倒で必ずしも実用的ではない。
【０００７】
本発明は、上記したような従来の欠点を解消した蚊取り器を提供することを目的とし、具体的には、安全で消耗品が少なく、したがって安価に使用できる蚊取り器を提供することを目的としている。また、限定するものではないが、限られた空間に侵入している少ない蚊の捕獲に適用して好適な蚊取り器を提供することを目的としている。
【課題を解決するための手段】
【０００８】
本発明は、上記目的を達成するために、炭酸ガス発生器と赤外線発生器とが適用される。そして、炭酸ガス発生器から出る炭酸ガスと水分、赤外線発生器から放射される赤外線あるいは熱線等は、ガス透過体から外部へ出るように構成される。外部へ出る炭酸ガス、赤外線等に誘引され、そしてガス透過体に止まる、あるいは近づくと、蚊センサがこれを検知する。そうすると、空気吸引装置が起動する。あるいはガス透過体に集まった頃合いに空気吸引装置が起動するように構成される。空気吸引装置の起動により空気流が生じ、ガス透過体に止まっている蚊あるいは近づいている蚊は、この空気流により例えば補虫ネットに捕獲される。
【０００９】
炭酸ガス発生器は、酸化チタンと、この酸化チタンに紫外線を照射する紫外線発生器とから構成される。紫外線が酸化チタンに照射されると、酸化作用の強いオゾンガスが発生する。このオゾンガスは、付近に付着している汚れ、例えば酸化チタンの表面に付着している油類、空気中に浮遊している有機物等を炭酸ガスと水とに分解する。この分解により生じる炭酸ガスと水分とがガス透過体を通って外部へ出るように構成される。
【００１０】
かくして、請求項１に記載の発明は、上記目的を達成するために、酸化チタンと該酸化チタンに紫外線を照射するようになっている紫外線発生器とからなる炭酸ガス発生器と、赤外線発生器と、前記炭酸ガス発生器により発生する炭酸ガス、前記赤外線発生器から放射される赤外線等を透過するガス透過体と、蚊を検知する蚊センサと、空気吸引装置とからなり、前記炭酸ガス発生器により発生する炭酸ガス、前記赤外線発生器から放射される赤外線等に誘引されて、前記ガス透過体に止まる蚊あるいは近づいている蚊を前記蚊センサが検知すると、前記空気吸引装置が所定時間作動して空気流が発生し、前記ガス透過体に止まっている蚊あるいは近づいている蚊は、前記空気流により捕虫ネットに捕獲されるように構成される。請求項２に記載の発明は、酸化チタンと該酸化チタンに紫外線を照射するようになっている紫外線発生器とからなる炭酸ガス発生器と、赤外線発生器と、前記炭酸ガス発生器により発生する炭酸ガス、前記赤外線発生器から放射される赤外線等を透過するガス透過体と、空気吸引装置とからなり、前記炭酸ガス発生器と前記赤外線発生器が起動されてから所定時間経過すると、前記空気吸引装置が所定時間作動して空気流が発生し、前記ガス透過体に止まっている蚊あるいは近づいている蚊は、前記空気流により捕虫ネットに捕獲されるように構成される。  請求項３に記載の発明は、請求項１又は２に記載の蚊取り器において、酸化チタンが本体の表面に塗布あるいはコーテイングされて酸化チタン層になっている。請求項４に記載の発明は、請求項３に記載の蚊取り器において、前記基体は略円筒状を呈し、その内部に前記紫外線発生器と前記赤外線発生器とが配置され、その両端の開口部に前記ガス透過体が設けられている。請求項５に記載の発明は、請求項１〜４のいずれかの項に記載の蚊取り器において、酸化チタンには活性酸素で分解されて炭酸ガスを発生する有機物が塗布されるように構成される。
【００１１】
請求項６に記載の発明は、酸化チタンが塗布あるいはコーテイングされているネット状の本体と前記酸化チタンに紫外線を照射するようになっている紫外線発生器とからなる炭酸ガス発生器と、赤外線発生器と、前記炭酸ガス発生器により発生する炭酸ガス、前記赤外線発生器から放射される赤外線等を透過するガス透過体と、蚊を検知する蚊センサと、空気吸引装置とからなり、前記炭酸ガス発生器により発生する炭酸ガス、前記赤外線発生器から放射される赤外線等に誘引されて、前記ガス透過体に止まる蚊あるいは近づいている蚊を前記蚊センサが検知すると、前記空気吸引装置が設定時間作動して空気流を発生し、前記透過体に止まっている蚊あるいは近づいている蚊は、前記空気流により前記ネット状の本体に捕獲されるように構成される。請求項７に記載の発明は、酸化チタンが塗布あるいはコーテイングされているネット状の本体と前記酸化チタンに紫外線を照射するようになっている紫外線発生器とからなる炭酸ガス発生器と、赤外線発生器と、前記炭酸ガス発生器により発生する炭酸ガス、前記赤外線発生器から放射される赤外線等を透過するガス透過体と、空気吸引装置とからなり、前記炭酸ガス発生器と前記赤外線発生器が起動されてから設定時間経過すると、前記空気吸引装置が設定時間作動して空気流を発生し、前記透過体に止まっている蚊あるいは近づいている蚊は、前記空気流により前記ネット状の本体に捕獲されるように構成される。そして、請求項８に記載の発明は、請求項６又は７に記載の蚊取り器において、前記ネット状の本体は略碗状を呈し、その内部に前記紫外線発生器と前記赤外線発生器とが配置され、その開口部に前記ガス透過体が開閉自在に設けられているように構成される。請求項９に記載の発明は、リン酸チタニウム系化合物あるいはその縮合体からなる炭酸ガス発生器と、赤外線発生器と、前記炭酸ガス発生器により発生する炭酸ガス、前記赤外線発生器から放射される赤外線等を透過するガス透過体と、空気吸引装置とからなり、
前記炭酸ガス発生器と前記赤外線発生器が起動されてから所定時間経過すると、又は前記ガス透過体に止まっている蚊あるいは近づいている蚊をセンサが検知すると、前記空気吸引装置が所定時間作動して空気流が発生し、前記ガス透過体に止まっている蚊あるいは近づいている蚊は、前記空気流により捕虫ネットに捕獲されるように構成される。
【発明の効果】
【００１２】
以上のように、本発明によると、酸化チタンと該酸化チタンに紫外線を照射するようになっている紫外線発生器とからなる炭酸ガス発生器、またはリン酸チタニウム系化合物あるいはその縮合体からなる炭酸ガス発生器と、赤外線発生器と、前記炭酸ガス発生器により発生する炭酸ガス、前記赤外線発生器から放射される赤外線等を透過するガス透過体と、空気吸引装置とからなり、前記炭酸ガス発生器と前記赤外線発生器が起動されてから所定時間経過すると、又は前記ガス透過体に止まっている蚊あるいは近づいている蚊をセンサが検知すると、前記空気吸引装置が所定時間作動して空気流が発生し、前記ガス透過体に止まっている蚊あるいは近づいている蚊は、前記空気流により捕虫ネットに捕獲されるようになっているので、すなわち殺虫成分は含んでいないので、乳幼児、高齢者、病弱者等に対しても抵抗を感じることなく使用できる。また、消耗品も有機物、例えば廃棄食用油を補給する程度で、費用の点を無視して使用できる利点もある。
【発明を実施するための最良の形態】
【００１３】
以下、本発明の実施の形態を説明する。図１の（ア）は、本発明の第１の実施の形態を一部断面にして示す側面図、その（イ）は正面図であるが、これらの図に示されているように、本実施の形態に係る蚊取り器Ｍは、概略、円筒状を呈する円筒状本体１と、この円筒状本体１を覆っているカバー１５と、このカバー１５内の空気を排気するようになっている空気吸引装置２０とから構成されている。
【００１４】
円筒状本体１の内表面には、酸化チタンが塗布あるいはコーテイングされ酸化チタン層２が形成されている。そして、その内部に石英水銀灯、炭素アーク灯、蛍光ランプのような紫外線を放射する第１のランプ３が配置されている。この第１のランプ３から放射される紫外線が酸化チタン層２に照射されると、従来周知のように活性酸素あるいはオゾンガスが生成し、酸化チタン層２に付着している汚れ等の汚染物質あるいは有機物、空気中に浮遊している臭い成分等の有機物は、発生した活性酸素あるいはオゾンガスにより炭酸ガスと水とに分解される。また、本実施の形態によると、第１のランプ３から放射される紫外線を遮らないような位置に赤外線あるいは熱線を放射する第２のランプ４、４が設けられている。これらの第１、２のランプ３、４には、制御された電力が供給されるようになっているが、電力供給ラインは図１には示されていない。
【００１５】
このように構成されている円筒状本体１の上下の開放端部には、開閉蓋１０、１０が設けられている。これらの開閉蓋１０、１０を開いて、第１、２のランプ３、４の保守点検ができると共に、酸化チタン層２の表面に有機物例えば食用油を適宜塗布することもできる。有機物を塗布することにより、炭酸ガスと水蒸気とがより確実に大量に発生する。このような開閉蓋１０、１０の一部には炭酸ガス、熱線、水蒸気等を通すガス透過体１１が設けられている。このガス透過体１１と関連した位置に蚊を検知する例えば赤外線センサ、羽根の振動数を検知して蚊が飛来していることを検知する振動センサ等からなる蚊センサが設けられている。蚊センサは、図１には示されていないが、制御装置と接続され、蚊を検知すると、後述する空気吸引装置２０が所定時間作動するようになっている。
【００１６】
カバー１５は、円筒状本体１を覆って、該本体１との間に空気流路１６、１６を構成するもので、図１の（イ）にも示されているように、円筒状本体１の胴部との間には隙間はないが、開閉蓋１０、１０との間には所定の間隔Ｓが設けられている。この間隔Ｓは蚊は入ってくるが、一旦入ると逃げ出し難く、後述する空気吸引装置２０が作動すると所定速さの空気流が得られるような大きさに選定されている。空気流路１６、１６のそれぞれには、円筒状本体１の後方において、逆止弁１７、１７がそれぞれ設けられている。これらの逆止弁１７、１７は、空気流路１６、１６を閉じる方向にバネにより付勢されている。したがって、円筒状本体１内で発生する炭酸ガス等は空気吸引装置２０の方へ漏れることはないが、空気吸引装置２０が作動すると、吸引力によりバネに抗して開き、空気流路１６、１６内の空気は排気されることになる。
【００１７】
空気吸引装置２０は、排気管２１、捕虫ネット２２、吸引フアン２４等から構成されている。排気管２１の所要箇所には開閉蓋２５が設けられ、その一方の端部が空気流路１６、１６の合流した開放部に接続され、他端部は大気中に開放されている。このような排気管２１の内部に捕虫ネット２２が着脱自在に設けられている。そして、その下流側にモータ２３で駆動される吸引フアン２４が設けられている。モータ２３には、制御装置により制御された電力が供給されるようになっているが、電力ラインは、図１には示されていない。  
【００１８】
本実施の形態によると、スタンド３０内には制御装置が設けられている。制御装置は、演算器、比較器、タイマ等から構成され、設定器３１〜３３も備えている。これらの設定器３１〜３３により第１、２のランプ３、４の点灯時間、第２のランプ４、４の発熱温度、蚊センサからの信号を受けてから吸引フアン２４が作動する時間等が設定されるようになっている。
【００１９】
次に、上記実施の形態に係る蚊取り器Ｍの使用法について説明する。第１、２のランプ３、４の点灯時間、第２のランプ４、４の発熱温度、吸引フアン２４の作動時間等を設定する。そして、例えばこれから入室予定の部屋に本蚊取り器Ｍを置く。そうすると、第１のランプ３からの紫外線が酸化チタン層２に照射され活性酸素あるいはオゾンガスが発生する。この活性酸素が酸化チタン層２の表面に付着している手垢、汗等の有機物を炭酸ガスと水とに分解する。有機物の汚れが少ないときは、食用油等を酸化チタン層２に付けておく。発生した炭酸ガスは、ガス透過体１１、１１から空気流路１６、１６内へ出る。このとき、本実施の形態によると円筒状本体１は鉛直方向に配置されているので、円筒状本体１内で暖められた空気は上昇し、上方のガス透過体１１から多くの炭酸ガスが出ることになる。空気流路１６、１６内に出た炭酸ガスは、カバー１５から外部へ出る。同時に第２のランプ４、４から放射される熱線も、さらには分解された水蒸気も出る。室内の蚊ｍ、ｍ、…は、炭酸ガス、熱線、水蒸気等に誘引されて空気流路１６、１６内に入り、そしてガス透過体１１、１１に止まる。あるいは近づく。蚊センサがこれを検知する。そうすると、吸引フアン２４が急に作動する。吸引される空気は空気流路１６、１６の開口部から吸引され、そして逆止弁１７、１７を押し開き、捕虫ネット２２を通って外部へ排気される。このとき、空気流路１６、１６内には所定の流速が得られるので、蚊ｍ、ｍ、…は空気と共に流され、捕虫ネット２２に捕獲される。捕獲された蚊は、特に羽根は捕虫ネット２２などで傷つけられているので、一旦捕獲されると逃げ出すことはできない。あるいは空気流路１６、１６内には逆止弁１７、１７が設けられているので逃げることはできない。設定時間が経過すると、吸引フアン２４は停止する。空気流路１６、１６内の空気流は止まり、炭酸ガス等が再びガス透過体１１、１１から出る。以下同様にして設定回数だけ捕獲する。
【００２０】
上記実施の形態では、蚊センサが蚊を検知すると、吸引フアン２４が所定時間作動するようになっているが、吸引フアン２４を制御装置のタイマで制御するように実施することもできる。例えば、第１、２のランプ３、４を点灯してから所定時間経過すると、蚊は誘引されていると見なし、所定時間吸引フアン２４を作動させるように実施することもできる。同様にして捕獲できることは明らかである。以下、設定時間毎に吸引フアン２４を作動させ捕獲する。
【００２１】
次に、図２により本発明の第２の実施の形態を説明する。上記した第１の実施の形態の構成要素と同じ要素には同じ参照数字を付けて、また同じような構成要素には同じ参照数字にダッシュ「’」を付けて重複説明はしないが、第２の実施の形態によると、円筒状本体１’が捕虫ネットも兼ねている。また、ガス透過体１１’は開閉可能になっている。すなわち、円筒状本体１’は多数の孔が明けられた多孔体から構成され、その内周面に酸化チタン層２’が形成されている。この円筒状本体１’の上方開口部に取り付けられている開閉蓋にガス透過体１１’が開閉自在に設けられている。このガス透過体１１’は、開口部を封鎖する方向にバネ付勢されているが、円筒状本体１’の内部が負圧になると、開く。開いた状態が、図２において鎖線で示されている。
【００２２】
このように構成されているガス透過体１１’の上方に所定の間隔をおいてカバー１５’が設けられている。これにより、第１の空気流路１６’が構成されている。また、円筒状本体１’の外周側には第２のカバー１５’が設けられている。これにより、所定幅の第２の空気流路１６’が形成されている。第２のカバー１５’の下方の開口部は排気管２１に接続されている。
【００２３】
したがって、第１、２のランプ３’、４’を点灯すると、前述したように炭酸ガスと水蒸気が生じ、加熱された空気と共にガス透過体１１’から第１の空気流路１６’に出て、そして外部へ出る。同様に誘引される蚊はガス透過体１１’の表面に止まる。あるいは、近づく。蚊センサがこれを検知すると、あるいは第１、２のランプ３’、４’を点灯してから設定時間経過すると、吸引フアン２４が起動する。そうすると、円筒状本体１’の内部は負圧になる。ガス透過体１１’が開く。室内の空気は、第１の空気流路１６’、ガス透過体１１’が開くことにより生じた開口部、円筒状本体１’に明けられている複数個の透孔、第２の空気流路１６’および排気管２１を通って外部へ排気される。このとき、ガス透過体１１’に止まっている蚊、あるいは近づいている蚊は、円筒状本体１’の内部へ流れる空気流に巻き込まれ、そして円筒状本体１’に捕獲される。
【００２４】
第２の実施の形態によると、円筒状本体１’が捕虫ネットも兼ねているので、構造が比較的簡単になる効果が得られる。また、捕獲された蚊の大部分が次の点灯で発生する活性酸素あるいはオゾンガスにより炭酸ガスと水とに分解されるので、捕獲された蚊の処理が簡単になる。さらには、捕獲される蚊から炭酸ガスと水とが得られるので、有機物の補給が少なくてすむ効果も得られる。
【００２５】
第２の実施の形態によっても、円筒状本体１’の内部に捕虫ネットを設けることができることは明らかである。また、酸化チタンに代えて、特許第３８２９６４０号に開示されているような光を照射しなくても活性化するリン酸チタニウム系化合物あるいはその縮合体を適用することもできる。このときは、光を照射しないときにも有機物は炭酸ガスと水とに分解され炭酸ガスを発生するので、有機物は消耗品となる。したがって、使用に先立ち、所定量の有機物を塗布あるいは噴霧しておく必要がある。本実施の形態によると紫外線発生器が不要になる利点がある。
【図面の簡単な説明】
【００２６】
【図１】本発明の第１の実施の形態を示す図で、その（ア）は一部を断面にして示す側面図、その（イ）は正面図である。
【図２】本発明の第２の実施の形態を一部断面にして示す側面図である。
【符号の説明】
【００２７】
Ｍ、Ｍ’      蚊取り器              １、１’      円筒状本体
２        酸化チタン層              ３        第１のランプ
４        第２のランプ            １０        開閉蓋
１１、１１’      ガス透過体        １５、１５’      カバー
１６、１６’      空気流路          ２０、２０’     空気吸引装置
２１        排気管                  ２２        捕虫ネット
２４        吸引フアン
【図１】
2009095257.tif 000003
【図２】
2009095257.tif 000004